(57)【要約】  光学表示体（１）は、透過部（Ｔ）と透過部よりも幅広な反射部（Ｒ）とによって、ストライプパターンを形成するように、透過部と反射部とが交互に配列されたストライプマスク（１０）と、顕像（２１Ｂ）がＹ方向に扁平された扁平柄（２１Ａ）が、Ｘ方向に複数繰り返し印刷されている印刷体（２０）とを備えている。ストライプマスクは、幅（Ｗｔａ）を有する透過部が配列されたストライプパターン領域（１１ａ）と、幅（Ｗｔａ）よりも広い幅（Ｗｔｂ）を有する透過部が配列されたストライプパターン領域（１１ｂ）とを備えている。ストライプマスクのストライプ方向と、印刷体のＸ方向とが一致するように、ストライプマスクと印刷体とが重ね合わされると、ストライプマスクを介して顕像が表示される。
2020085332.tif 000002
【特許請求の範囲】
【請求項１】
顕像が出現可能な光学表示体であって、
透過部と、前記透過部よりも幅広な反射部とによって、ストライプパターンを形成するように、前記透過部と前記反射部とが交互に配列されたストライプマスクと、
前記顕像が第１の方向に扁平された扁平柄が、前記第１の方向と直交する第２の方向に複数繰り返し印刷されている印刷体とを備え、
前記ストライプマスクは、第１の幅を有する透過部が配列された第１のストライプパターン領域と、前記第１の幅よりも幅広な第２の幅を有する透過部が配列された第２のストライプパターン領域とを備え、
前記ストライプマスクのストライプ方向と、前記印刷体の前記第２の方向とが一致するように、前記ストライプマスクと前記印刷体とが重ね合わされた場合、前記ストライプマスクを介して前記顕像が表示されることを特徴とする、光学表示体。
【請求項２】
前記第１のストライプパターン領域と前記第２のストライプパターン領域との境界によって形状が画定される潜像が表示されることを特徴とする、請求項１に記載の光学表示体。
【請求項３】
前記顕像は、前記ストライプマスクに対する法線方向を含む第１の視野角範囲から前記ストライプマスクが観察された場合に視認され、
前記潜像は、前記第１の視野角範囲とは異なる第２の視野角範囲から前記ストライプマスクが観察された場合に視認されることを特徴とする、請求項２に記載の光学表示体。
【請求項４】
前記第１のストライプパターン領域におけるストライプのピッチは、前記前記第２のストライプパターン領域におけるストライプのピッチと等しく、前記扁平柄の前記第２の方向における配列ピッチの整数倍と異なることを特徴とする、請求項１乃至３のうち何れか１項に記載の光学表示体。
【請求項５】
前記印刷体には、前記扁平柄がさらに、前記第１の方向にも複数繰り返し印刷されていることを特徴とする、請求項１乃至４のうち何れか１項に記載の光学表示体。
【請求項６】
請求項１乃至５のうち何れか１項に記載の光学表示体を実現するために、第１のページと第２のページとを有するページ対であって、
前記第１のページに前記ストライプマスクを配置し、
前記第２のページに前記印刷体を配置し、
前記第１のページと前記第２のページとを重ね合わせるように閉じた場合、前記ストライプ方向と、前記第２の方向とが一致するように、前記ストライプマスクと前記印刷体とが重なり合うようにしたことを特徴とする、ページ対。
【請求項７】
前記第１のページと前記第２のページとが綴じ合わされて形成されたことを特徴とする、請求項６に記載のページ対。
【請求項８】
前記ストライプマスクと前記印刷体とが、同一面に配置され、
前記同一面が折り畳まれた場合、折り畳み線を境界として、一方が前記ストライプマスクが配置された前記第１のページとなり、他方が前記印刷体が配置された前記第２のページとなるようにしたことを特徴とする、請求項６に記載のページ対。
【請求項９】
請求項１乃至５のうち何れか１項に記載の光学表示体が配置されたことを特徴とする、製品。
【請求項１０】
請求項９に記載の製品が、印刷製品であることを特徴とする印刷製品。
【請求項１１】
請求項１乃至５のうち何れか１項に記載の光学表示体が配置されたことを特徴とする、パスポート。
【請求項１２】
請求項１乃至５のうち何れか１項に記載の光学表示体が配置されたことを特徴とする、カード。
【請求項１３】
請求項１乃至５のうち何れか１項に記載の光学表示体が配置されたことを特徴とする、紙幣。
【請求項１４】
請求項１乃至５のうち何れか１項に記載の光学表示体が配置されたことを特徴とする、ラベル。
【請求項１５】
請求項１乃至５のうち何れか１項に記載の光学表示体が配置されたことを特徴とする、タグ。
【請求項１６】
請求項１乃至５のうち何れか１項に記載の光学表示体が配置されたことを特徴とする、チケット。
【発明の詳細な説明】
【技術分野】
【０００１】
本発明の実施形態は、例えばパスポート、ＩＤカード、紙幣、チケット、有価証券などの貴重性の高い媒体の偽造防止や真偽判別のために適用される光学表示体、該光学表示体が配置されたページ対、製品、印刷製品、パスポート、カード、紙幣、ラベル、タグ、およびチケットに関する。
【背景技術】
【０００２】
従来、日本国特開昭５７−２０３９５号公報、日本国特開昭６０−７９９９１号公報、日本国特開２００２−２２６７４０号公報、および日本国特開昭４９−１３１１４２号公報のように、例えばパスポート、ＩＤカード、紙幣、チケット、有価証券などの貴重性の高い媒体は、偽造や変造がなされないように、透かし入りの特殊な用紙、潜像凹版、複写機で色が正常に再現されないような機能性インキ、およびコピー防止画線等といった対策が講じられている。【０００３】
しかしながら、例えば日本国特開２００６−１２３１７４号公報のように、最近におけるカラー複写機の普及や、高機能化した写真製版装置の出現に伴い、偽造や変造の技術も高度化しており、偽造や変造による犯罪の危険性も高まっている。【０００４】
そのため、最近では、偽造や変造を防止するために、上記対策に加えて、画像データに基づいて形成された画像パターンや、ＯＶＤ（Ｏｐｔｉｃａｌ  Ｖａｒｉａｂｌｅ  Ｄｅｖｉｃｅ）を実現するホログラム、回折格子、または多層干渉を用いた光学的薄膜を用いる画像を、ポリ塩化ビニルなどのカード基材上に配置するような工夫もなされている。【０００５】
ＯＶＤによれば、光学設計によりカラーシフト等の効果が得られ、複雑な光学効果を実現することができる。このようなＯＶＤを実現するホログラム、回折格子、または多層干渉を用いた光学的薄膜の製造には、極めて高度な技術が要求され、再現することが困難である。【０００６】
したがって、ホログラム、回折格子、または多層干渉を用いた光学的薄膜は、偽造や変造を防止するための有効な手段として利用されている。
【発明の概要】
【０００７】
しかしながら、近年におけるカラー複写機や電子機器のさらなる急激な性能向上に伴い、ホログラム、回折格子、または多層干渉を用いた光学的薄膜を適用しても、十分な偽造防止効果を実現することが困難になってきたという問題がある。
【０００８】
本発明の実施形態はこのような事情に鑑みてなされたものであり、十分な偽造防止効果を実現することが可能な光学表示体、該光学表示体が配置されたページ対、製品、印刷製品、パスポート、カード、紙幣、ラベル、タグ、およびチケットを提供することを目的とする。
【０００９】
本発明の第１の側面は、顕像が出現可能な光学表示体であって、透過部と透過部よりも幅広な反射部とによって、ストライプパターンを形成するように、透過部と反射部とが交互に配列されたストライプマスクと、顕像が第１の方向に扁平された扁平柄が、第１の方向と直交する第２の方向に複数繰り返し印刷されている印刷体とを備えている。ストライプマスクは、第１の幅を有する透過部が配列された第１のストライプパターン領域と、第１の幅よりも幅広な第２の幅を有する透過部が配列された第２のストライプパターン領域とを備えている。ストライプマスクのストライプ方向と、印刷体の第２の方向とが一致するように、ストライプマスクと印刷体とが重ね合わされた場合、ストライプマスクを介して顕像が表示される。
【００１０】
本発明の第２の側面は、本発明の第１の側面の光学表示体において、第１のストライプパターン領域と第２のストライプパターン領域との境界によって形状が画定される潜像が表示される。
【００１１】
本発明の第３の側面は、本発明の第２の側面の光学表示体において、顕像は、ストライプマスクに対する法線方向を含む第１の視野角範囲からストライプマスクが観察された場合に視認され、潜像は、第１の視野角範囲とは異なる第２の視野角範囲からストライプマスクが観察された場合に視認される。
【００１２】
本発明の第４の側面は、第１乃至第３の何れかの側面の光学表示体において、第１のストライプパターン領域におけるストライプのピッチは、第２のストライプパターン領域におけるストライプのピッチと等しく、扁平柄の第２の方向における配列ピッチの整数倍と異なる。
【００１３】
本発明の第５の側面は、第１乃至第４の何れかの側面の光学表示体において、印刷体には、扁平柄がさらに、第１の方向にも複数繰り返し印刷されている。
【００１４】
本発明の第６の側面は、第１乃至第５の何れかの側面の光学表示体を実現するために、第１のページと第２のページとを有するページ対であって、第１のページにストライプマスクを配置し、第２のページに印刷体を配置し、第１のページと第２のページとを重ね合わせるように閉じた場合、ストライプ方向と、第２の方向とが一致するように、ストライプマスクと印刷体とが重なり合うようにしている。
【００１５】
本発明の第７の側面は、第６の側面のページ対において、第１のページと第２のページとが綴じ合わされて形成される。
【００１６】
本発明の第８の側面は、第６の側面のページ対において、ストライプマスクと印刷体とが、同一面に配置され、同一面が折り畳まれた場合、折り畳み線を境界として、一方がストライプマスクが配置された第１のページとなり、他方が印刷体が配置された第２のページとなる。
【００１７】
本発明の第９の側面は、第１乃至第５の何れかの側面の光学表示体が配置された製品である。
【００１８】
本発明の第１０の側面は、第９の側面の製品が、印刷製品である印刷製品である。
【００１９】
本発明の第１１の側面は、第１乃至第５の何れかの光学表示体が配置されたパスポートである。
【００２０】
本発明の第１２の側面は、第１乃至第５の何れかの光学表示体が配置されたカードである。
【００２１】
本発明の第１３の側面は、第１乃至第５の何れかの光学表示体が配置された紙幣である。
【００２２】
本発明の第１４の側面は、第１乃至第５の何れかの光学表示体が配置されたラベルである。
【００２３】
本発明の第１５の側面は、第１乃至第５の何れかの光学表示体が配置されたタグである。
【００２４】
本発明の第１６の側面は、第１乃至第５の何れかの光学表示体が配置されたチケットである。  本発明の第１の側面の光学表示体によれば、印刷体に印刷された扁平柄の一部を、ストライプマスクで隠蔽することによって、印刷体単体では判別が困難である扁平柄の、扁平前の状態である顕像を表示できるようになるので、セキュリティ性を向上させることができる。
【００２５】
本発明の第２の側面の光学表示体によれば、第１のストライプパターン領域と第２のストライプパターン領域との境界によって形状が画定される潜像を表示できるようになるので、顕像と潜像との２種類の情報を表示できることにより、セキュリティ性を更に向上させることができる。
【００２６】
本発明の第３の側面の光学表示体によれば、ストライプマスクを観察する角度を変えることによって、視認される画像を選択的に切り換えることが可能となるので、セキュリティ性を更により向上させることができる。
【００２７】
本発明の第４の側面の光学表示体によれば、顕像を表示することができる。
【００２８】
本発明の第５の側面の光学表示体によれば、同一の顕像を多数同時に表示することができる。
【００２９】
本発明の第６の側面のページ対によれば、本発明の第１の側面の光学表示体を実現することができる。このようなページ対は、例えば、パスポートへ適用されることが好適であり、パスポートに適用された場合、例えば、出入国審査官は、第１のページと第２のページとを重ね合わせ、正しい顕像が表示されるか否かに応じて、該パスポートが真正であるか否かを容易に判定することができる。
【００３０】
ページ対の構成としては、本発明の第７の側面のページ対のように、第１のページと第２のページとが綴じ合わされて形成されたものであっても、本発明の第７の側面のページ対のように、第１のページと第２のページとが同一面に配置され、使用時に折り畳まれるような構成とすることができる。
【００３１】
本発明の第９の側面の製品によれば、本発明の第１の側面の光学表示体によって奏される高いセキュリティ性を備えることができる。
【００３２】
本発明の第１０の側面の製品によれば、このような高いセキュリティ性を備えた印刷製品を実現することができる。
【００３３】
本発明の第１１の側面の製品によれば、このような高いセキュリティ性を備えたパスポートを実現することができる。
【００３４】
本発明の第１２の側面の製品によれば、このような高いセキュリティ性を備えたカードを実現することができる。
【００３５】
本発明の第１３の側面の製品によれば、このような高いセキュリティ性を備えた紙幣を実現することができる。
【００３６】
本発明の第１４の側面の製品によれば、このような高いセキュリティ性を備えたラベルを実現することができる。
【００３７】
本発明の第１５の側面の製品によれば、このような高いセキュリティ性を備えたタグを実現することができる。
【００３８】
本発明の第１６の側面の製品によれば、このような高いセキュリティ性を備えたチケットを実現することができる。
【００３９】
以上のように、本発明の実施形態によれば、十分な偽造防止効果を実現することが可能な光学表示体、該光学表示体が配置されたページ対、製品、印刷製品、パスポート、カード、紙幣、ラベル、タグ、およびチケットを提供することができる。
【図面の簡単な説明】
【００４０】
【図１】図１は、本発明の実施形態に係る光学表示体の概略構成例を示す断面図である。
【図２】図２は、扁平柄層の一例を説明するための平面図である。
【図３】図３は、扁平柄の扁平前の柄である顕像を示す平面図である。
【図４】図４は、本発明の実施形態に係る光学表示体の別の概略構成例を示す別の断面図である。
【図５】図５は、異なるストライプパターン領域の境界によって画定される絵柄が形成されたストライプマスクの一例を示す平面図である。
【図６】図６は、異なるストライプパターン領域の境界によって画定される絵柄が形成されたストライプマスクの別の例を示す平面図である。
【図７】図７は、潜像が視認可能な視野角範囲を説明するための概念図である。
【図８】図８は、視認された潜像を例示する概念図である。
【図９】図９は、ストライプマスクと印刷体とのＸＹ平面における位置関係を説明するための概念図である。
【図１０】図１０は、顕像の出現のメカニズムを説明するために、ストライプマスクと印刷体とのＸＹ平面における位置関係を詳細に示す概念図である。
【図１１】図１１は、顕像の出現の原理を説明するために、ストライプマスクと印刷体とのＸＹ平面における位置関係を詳細に示す概念図である。
【図１２】図１２は、顕像の出現のメカニズムを概略的に説明するために、印刷体上にストライプマスクが重ね合わされた状態の一部を示す拡大図である。
【図１３】図１３は、顕像の出現のメカニズムを概略的に説明するために、印刷体上にストライプマスクが重ね合わされた状態の一部を示す拡大図である。
【図１４】図１４は、顕像の視認可能な視野角範囲を説明するための概念図である。
【図１５】図１５は、視認された顕像を例示する概念図である。
【図１６】図１６は、本発明の実施形態に係る光学表示体の変形例１の一例を示す断面図である。
【図１７】図１７は、本発明の実施形態に係る光学表示体の変形例２の一例を示す断面図である。
【図１８】図１８は、パスポート冊子の平面構造の一例を概略的に示す（ａ）上面図および（ｂ）斜視図である。
【図１９】図１９は、ＩＤカードの平面構造の一例を概略的に示す（ａ）上面図および（ｂ）斜視図である。
【図２０】図２０は、データページを正面側から見た場合に観察される顕像の一例を示す模式図である。
【図２１】図２１は、ストライプマスクと印刷体とがそれぞれ別のページに配置されているページ対の構成例を示す概念図である。
【図２２】図２２は、ページ対の別の構成例を示す概念図である。
【図２３】図２３は、透明なページにストライプマスクが配置されているページ対の一例を示す概念図である。
【図２４】図２４は、対向するページを中心線に沿って折り畳んだ状態を示す側面図である。
【図２５】図２５は、データページを正面側から見た場合に観察される顕像の一例を示す模式図である。
【図２６】図２６は、データページを斜め側から見た場合に観察される潜像の一例を示す模式図である。
【図２７】図２７は、ラベルの構成例を示す断面図である。
【図２８】図２８は、ラベルを貼り付けられたタグの一例を模式的に示す平面図である。
【図２９】図２９は、ラベルを貼り付けられたタグの別の例を模式的に示す平面図である。
【発明を実施するための形態】
【００４１】
以下、本発明の実施形態について、図面を参照しながら詳細に説明する。なお、同様または類似した機能を発揮する構成要素には全ての図面を通じて同一の参照符号を付し、重複する説明は省略する。
【００４２】
図１は、本発明の実施形態に係る光学表示体の概略構成例を示す断面図である。
【００４３】
光学表示体１は、ストライプマスク１０と印刷体２０とが積層されて構成される。
【００４４】
ストライプマスク１０は、それぞれ図中Ｙ方向に延びる線状の透過部Ｔと反射部ＲとがＸ方向に交互に多数配列されることによって、ストライプパターンが形成されたストライプ層１１を有している。
【００４５】
透過部Ｔは、ストライプ層１１そのままとするか、または、例えば透明反射層とすることができる。言い換えれば、透明反射層は、透過部Ｔとできる。透明反射層を透過部Ｔとする場合、透過部Ｔは、真空蒸着やスパッタリングなどの真空成膜法によって形成することができる。
【００４６】
あるいは、透過部Ｔは、厚さが２０（ｎｍ）未満の金属層とすることもできる。また、金属層は、５（ｎｍ）より厚くしてもよい。この金属層の材料は、例えば、クロム、ニッケル、アルミニウム、鉄、チタン、銀、金、銅およびその合金とできる。
【００４７】
反射部Ｒは、隠ぺい性の金属反射層を使用することができる。言い換えれば、隠ぺい性の金属層は、反射部Ｒとできる。反射部Ｒは、真空蒸着やスパッタリングなどの真空成膜法によって形成することができる。なお、反射部Ｒは、印刷であってもよい。この印刷は、グラビア印刷、オフセット印刷、スクリーン印刷で形成できる。印刷のインキは、顔料インキまたは染料インキとできる。また、インキはパールインキとしてもよい。また、反射部Ｒは、光散乱性でもよい。光散乱性の反射部Ｒは、印刷やエンボス、押出成形で形成できる。光散乱性の反射部Ｒは表面凹凸、低屈折率、または高屈折率の散乱体を含有することで実現できる。
【００４８】
反射部Ｒのための金属反射層の材料の実例は、クロム、ニッケル、アルミニウム、鉄、チタン、銀、金、および銅とできる。反射部Ｒのための金属反射層の典型的な厚さは、５０（ｎｍ）以上、１００（ｎｍ）以下である。この厚みであれば、ストライプマスクとしての適切な隠ぺい性を有することができ、また製造性に優れている。
【００４９】
ストライプ層１１は、透過部ＴのＸ方向における幅Ｗｔに応じて分類される複数種類のストライプパターン領域を含んでいる。図１では、一例として、２種類のストライプパターン領域１１ａ、ストライプパターン領域１１ｂが例示されている。
【００５０】
ストライプパターン領域１１ａは、透過部ＴのＸ方向における幅Ｗｔが狭い領域であり、ストライプパターン領域１１ｂは、透過部ＴのＸ方向における幅Ｗｔが広い領域である。すなわち、ストライプパターン領域１１ａにおける透過部Ｔを、透過部Ｔａとし、ストライプパターン領域１１ｂにおける透過部Ｔを、透過部Ｔｂとすると、幅Ｗｔａと幅Ｗｔｂとの間に、Ｗｔａ＜Ｗｔｂの関係が成立する。
【００５１】
ただし、いずれのストライプパターン領域１１においても、透過部ＴのＸ方向における幅Ｗｔは、反射部ＲのＸ方向における幅Ｗｒよりも小さく、Ｗｔ＜Ｗｒの関係が成立する。
【００５２】
また、ストライプパターン領域１１の種類に関わらず、透過部ＴのＸ方向における幅Ｗｔと、隣接する反射部ＲのＸ方向における幅Ｗｒとの合計幅Ｗｔｏｔａｌ（以降、「ストライプピッチ」とも称する）は、領域内で一定である。したがって、ストライプパターン領域１１ａにおける透過部ＴａのＸ方向における幅Ｗｔａと、隣接する反射部ＲａのＸ方向における幅Ｗｒａとの合計幅Ｗｔｏｔａｌａ（ストライプパターン領域１１ａのストライプピッチ）と、ストライプパターン領域１１ｂにおける透過部ＴｂのＸ方向における幅Ｗｔｂと、隣接する反射部ＲｂのＸ方向における幅Ｗｒｂとの合計幅Ｗｔｏｔａｌｂ（ストライプパターン領域１１ｂのストライプピッチ）との間には、Ｗｔａ＋Ｗｒａ＝Ｗｔｏｔａｌａ、Ｗｔｂ＋Ｗｒｂ＝Ｗｔｏｔａｌｂ、Ｗｔｏｔａｌａ＝Ｗｔｏｔａｌｂの関係が成立する。
【００５３】
なお、図１では、２つのストライプパターン領域１１ａと１つのストライプパターン領域１１ｂしか例示されていないが、Ｗｔａ＜Ｗｔｂ、Ｗｔ＜Ｗｒ、Ｗｔａ＋Ｗｒａ＝Ｗｔｏｔａｌａ、Ｗｔｂ＋Ｗｒｂ＝Ｗｔｏｔａｌｂ、Ｗｔｏｔａｌａ＝Ｗｔｏｔａｌｂの関係を維持している限り、ストライプマスク１０に配置されるストライプパターン領域１１ａとストライプパターン領域１１ｂの数、サイズ、および配置場所は任意に設計できる。
【００５４】
また、図１では、２種類のストライプパターン領域１１ａ、１１ｂしか例示されていないが、ストライプ層１１は、３種類以上のストライプパターン領域を含むこともできる。
【００５５】
ストライプ層１１は、透光性を有しており、典型的には透明である。ストライプ層１１の材料としては、例えば樹脂フィルムまたはシートとすることができ、材料として、例えば、ポリエチレンテレフタラート（ＰＥＴ）、ポリプロピレン（ＰＰ）、ポリカーボネート（ＰＣ）、ポリメチルメタクリレート（ＰＭＭＡ）、ポリエチレン（ＰＥ）等のプラスチック材料とできる。
【００５６】
ストライプ層１１は、ホログラムおよび回折格子の少なくとも一方のような回折構造を含むこともできる。例えば、ストライプ層１１を形成する透明樹脂の表面に、回折構造としてレリーフ構造を設けることができる。これによって、回折構造が表示する画像を、後述するような潜像や、顕像と重ねたり、並べて配置することができるなど、より複雑な表示を行うことが可能となる。この複雑な表示により、偽造困難性を向上できる。
【００５７】
ストライプ層１１が回折構造を含む場合、ストライプ層１１の材料は、硬化樹脂または熱可塑性樹脂とできる。光で硬化する硬化樹脂の実例は、アクリル、フッ素系アクリル、シリコーン系アクリル、エポキシアクリレート、メチルスチレン、フルオレンポリマー、とできる。熱で硬化する硬化樹脂の実例は、アクリルニトリルスチレン共重合体、フェノール、メラミン、尿素樹脂、アルキド樹脂等の熱硬化樹脂である。熱可塑性樹脂の実例はポリカーボネート、ポリプロピレン、ポリエチレンテレフタラート、ポリスチレン、シクロオレフィンポリマー、ポリアセタールである。上記の樹脂を所望の構造に賦型して硬化させることで剥離層の表面上に回折構造を形成することができる。
【００５８】
なお、回折構造を形成する樹脂の硬化物は全て光透過性であり、屈折率は一般的には１．５程度である。屈折率は、１．４より高く、１．６５より低くできる。
【００５９】
印刷体２０は、キャリア２２と、キャリア２２上に形成された扁平柄層２１とから形成される。扁平柄層２１は、キャリア２２との密着性が良好な材料から構成される。
【００６０】
扁平柄層２１は、樹脂フィルムまたはシートとできる。扁平柄層２１の材料としては、ポリエチレンテレフタラート（ＰＥＴ）、ポリプロピレン（ＰＰ）、ポリカーボネート（ＰＣ）、ポリメチルメタクリレート（ＰＭＭＡ）、ポリエチレン（ＰＥ）等のプラスチックとすることができる。
【００６１】
図２は、扁平柄層２１の一例を説明するための平面図である。
【００６２】
扁平柄層２１には、図２に示すように、顕像が図中Ｙ方向に扁平された扁平柄２１Ａが、図中Ｘ方向に複数繰り返し印刷されている。
【００６３】
図３は、図２に例示されている１つの扁平柄の扁平前の柄である顕像を示す平面図である。
【００６４】
例えば、顕像２１Ｂが、図３に示すような「ＪＰ」という文字である場合、図２に示される１つの扁平柄２１Ａは、「ＪＰ」がＹ方向に扁平されたものである。このように、扁平柄層２１には、「ＪＰ」のような顕像２１ＢがＹ方向に扁平された扁平柄２１Ａが、Ｘ方向に複数繰り返し印刷されている。なお、顕像２１Ｂは、文字や絵柄に限らず、所有者に関するコードとすることもできる。
【００６５】
扁平柄２１Ａは、染料および顔料で構成することができる。この場合、扁平柄２１Ａの形成には、サーマルヘッドを用いた熱転写記録法、インクジェット記録法のような印刷法、電子写真法、またはそれらの２つ以上の組合せを利用することができる。あるいは、扁平柄２１Ａは、感熱発色剤を含んだ層に、レーザービームで描画することにより形成することもできる。あるいは、これら方法の組み合わせを利用することができる。
【００６６】
扁平柄２１Ａは、例えば、黒インキのみで構成することもできる。あるいは、シアン、イエロー、マゼンタの何れか一色以上のインキで構成することもできる。
【００６７】
扁平柄２１Ａが、シアン、イエロー、マゼンタの何れか二色以上のインキで構成されている場合、二色以上のインキは所定のエリアにドット状に重なる形で構成されることが望ましい。この場合、カラー複写機などでの印刷体の複写は困難となるので、偽造および改竄の防止効果を高めることができる。
【００６８】
キャリア２２の材質は、例えば、紙とすることができる。また、例えば、プラスチック基材、金属基材、セラミックス基材、またはガラス基材とすることもできる。
【００６９】
図４は、本発明の実施形態に係る光学表示体の別の概略構成例を示す別の断面図である。
【００７０】
図４に示す光学表示体２は、ストライプマスク１０と、印刷体２０とが分離されている。このような場合、ストライプマスク１０は、図１で説明したストライプ層１１に加えて、透明キャリア１２を備えている。一方、印刷体２０は、図１で説明した構成と同様に、扁平柄層２１とキャリア２２とを備えている。
【００７１】
図４において、ストライプマスク１０は、透明キャリア１２を備えている以外は図１と同様であるので、以下では、図１と異なる点について説明し、重複説明を避ける。
【００７２】
透明キャリア１２は、光透過性を有しており、典型的には透明である。透明キャリア１２は、プラスチックフィルムまたはプラスチックシートとできる。透明キャリア１２の材質は、ポリエチレンテレフタラート（ＰＥＴ）、ポリプロピレン（ＰＰ）、ポリカーボネート（ＰＣ）、ポリメチルメタクリレート（ＰＭＭＡ）、ポリエチレン（ＰＥ）とできる。
【００７３】
図５および図６は、ストライプパターン領域１１ａとストライプパターン領域１１ｂとの境界によって画定される絵柄が形成されたストライプマスク１０の平面図の例である。
【００７４】
図５および図６に例示するように、ストライプマスク１０において、ストライプ方向をＸ方向に一致させた状態で、ストライプパターン領域１１ａとストライプパターン領域１１ｂとの配置を変えると、ストライプパターン領域１１ａとストライプパターン領域１１ｂとの境界によって画定される形状も変わる。
【００７５】
また、ストライプピッチＷｔｏｔａｌにおける透過部Ｔと反射部Ｒとの割合は、ストライプパターン領域１１ａと、ストライプパターン領域１１ｂとにおいて異なる。つまり、ストライプマスク１０は、透過部Ｔと反射部Ｒとの割合が異なる領域を有することができる。この場合、ストライプパターン領域１１ａと、ストライプパターン領域１１ｂとでは、光の反射光強度分布が異なる。この反射光強度分布の差異を利用することによって、ストライプマスク１０のＸＹ平面に、ストライプパターン領域１１ａとストライプパターン領域１１ｂとの境界によって画定される形状を潜像として出現させることができる。
【００７６】
図５、図６のいずれも、中心に十字型の形状が画定されている例であるが、図５は、ストライプパターン領域１１ａの周囲にストライプパターン領域１１ｂが配置されることによって画定された十字型の形状を示す一方、図６は、ストライプパターン領域１１ｂの周囲にストライプパターン領域１１ａが配置されることによって画定された十字型の形状を示している。このような場合、図５では、明るい十字型の潜像Ｌ１として出現する一方、図６では、その逆に、暗い十字型の潜像Ｌ２として出現する。
【００７７】
図７は、潜像Ｌが視認可能な視野角範囲を説明するための概念図である。
【００７８】
図８は、視認された潜像Ｌを例示する概念図である。ストライプマスク１０は、潜像Ｌを可視化できる。ストライプマスク１０は、顕像フィルターとして機能する。顕像フィルターは、潜像Ｌを可視化する。
【００７９】
図７に示すように、ストライプマスク１０の面に対して鋭角的な視野角範囲α（例えば、ストライプマスク１０の表面から２０〜４０°）から観察されると、潜像Ｌは、図８に示すように、良好に視認される。
【００８０】
図９は、ストライプマスクと印刷体とのＸＹ平面における位置関係を説明するための概念図である。
【００８１】
光学表示体１は、ストライプマスク１０と、印刷体２０とを、ストライプマスク１０のストライプ方向（Ｘ方向）と、印刷体２０のＸ方向とが一致するように重ね合わされることによって構成される。
【００８２】
このようにして、扁平柄層２１に規則的に複数の扁平柄２１Ａが配置された印刷体２０に、ストライプマスク１０を重ね合わせることで、視認可能な顕像２１Ｂが出現する。このような顕像２１Ｂの出現のメカニズムを、以下の通り説明する。顕像２１Ｂは、潜像が顕在化した画像である。
【００８３】
図１０および図１１は、顕像の出現のメカニズムを説明するために、ストライプマスクと印刷体とのＸＹ平面における位置関係を詳細に示す概念図である。
【００８４】
図１０には、図６に例示されたストライプマスク１０が示され、図１１には、図５に例示されたストライプマスク１０が示されている。また、図１０および図１１ともに、印刷体２０の扁平柄層２１には、図２に例示されたような扁平柄２１Ａが配置されている。扁平柄２１Ａは例えば、黒インキが所定のサイズ、例えばドット状に熱転写されたものであるか、あるいは、シアン、イエロー、マゼンタの何れか一色以上が所定のサイズで熱転写される。
【００８５】
図１０および図１１に示すストライプマスク１０において、ストライプピッチＷｔｏｔａｌ（Ｗｔｏｔａｌ＝Ｗｔｏｔａｌａ＝Ｗｔｏｔａｌｂ）は、印刷体２０において扁平柄２１ＡがＸ方向へ繰り返し配列されている配列ピッチＰの整数倍とは異なるように設計される。すなわち、Ｗｔｏｔａｌ≠ｎＰ（ｎは正の整数）の関係が成立する。典型的には、ストライプピッチＷｔｏｔａｌは、配列ピッチＰに対して±１０％以上２５％以内のズレ量とすることができる。
【００８６】
ストライプピッチＷｔｏｔａｌが、配列ピッチＰの整数倍と異なることによって、顕像２１Ｂが出現する。このメカニズムを、図１２および図１３を用いて説明する。
【００８７】
図１２および図１３は、顕像の出現のメカニズムを概略的に説明するために、印刷体上にストライプマスクが重ね合わされた状態の一部を示す拡大図である。
【００８８】
図１２（ａ）および図１３（ａ）は、扁平柄層２１に配置された１つの扁平柄２１Ａを例示する平面図である。図１２（ａ）および図１３（ａ）では、説明のために、図２に例示されるものとは異なる絵柄の扁平柄２１Ａを例示している。
【００８９】
図１２（ｂ）および図１３（ｂ）は、扁平柄層２１上に、Ｘ方向およびＹ方向にそれぞれ等ピッチで配置された扁平柄２１Ａと、重ね合わされたストライプマスク１０の透過部Ｔとの位置関係を示す平面図である。
【００９０】
図１２（ｃ）および図１３（ｃ）は、扁平柄層２１上に、Ｘ方向およびＹ方向にそれぞれ等ピッチで配置された扁平柄２１Ａと、重ね合わされたストライプマスク１０の反射部Ｒとの位置関係を示す平面図である。
【００９１】
図１２に示す例は、ストライプピッチＷｔｏｔａｌが配列ピッチＰよりも＋１０％以上２５％以内の範囲で大きく、図１３に示す例は、ストライプピッチＷｔｏｔａｌが配列ピッチＰよりも−１０％以上２５％以内の範囲で小さい。
【００９２】
配列ピッチＰよりもストライプピッチＷｔｏｔａｌが大きい場合、ストライプマスク１０と印刷体２０とを重ねると、図１２（ｃ）中に点線で示すように、扁平前の顕像２１Ｂが出現する。一方、配列ピッチＰよりもストライプピッチＷｔｏｔａｌが小さい場合、ストライプマスク１０と印刷体２０とを重ねると、図１３（ｃ）中に点線で示すように、扁平前の顕像２１Ｂが出現する。
【００９３】
このように、扁平前の顕像２１Ｂが出現するのは、配列ピッチＰとストライプピッチＷｔｏｔａｌとが異なるため、扁平柄層２１上にＸ方向に繰り返し配置された複数の扁平柄２１Ａにおいて、ストライプマスク１０の透過部Ｔを介して観察される扁平柄２１Ａにおける場所が、Ｘ方向に沿って徐々にずれて行くためである。このようにして、扁平柄２１Ａの一部をストライプマスク１０でマスクすることによって、扁平前の顕像２１Ｂが出現する。
【００９４】
可視化の万線は、ストライプピッチＷｔｏｔａｌの異なる領域を有してもよい。顕像２１Ｂの配列ピッチＰに対する万線のストライプピッチＷｔｏｔａｌが、異なる複数の領域を有してもよい。これにより、万線により表示させる顕像２１Ｂが領域毎に変化する。
【００９５】
またこの実例として、万線のストライプピッチＷｔｏｔａｌが、顕像２１Ｂの配列ピッチＰより長い領域と、万線のストライプピッチＷｔｏｔａｌが、顕像２１Ｂの配列ピッチＰより長い領域とを有してもよい。この場合、顕像２１Ｂが同じ場合でも可視化の領域の違いにより、顕像２１Ｂを可視化用の万線の領域の違いにより反転させることができる。
【００９６】
このような可視化は、識別が高く、特徴的であるため、偽造防止効果が高い。また、領域の外形が可視情報であってもよく、可視情報は数字、文字、記号、シンボルであってもよい。この外形により、識別性が高い可視化情報が得られ、さらに偽造防止性が高まる。
【００９７】
図１４は、顕像の視認可能な視野角範囲を説明するための概念図である。
【００９８】
図１５は、視認された顕像を例示する概念図である。
【００９９】
図１４に示すように、ストライプマスク１０の正面方向を中心とした視野角範囲β（例えば、ストライプマスク１０に対する法線方向±５０°の角度範囲）から観察されると、顕像は、図１５に示すように、良好に視認される。この視野角範囲βは、図７に示す視野角範囲αと、重なり合わなくできる。この場合、視認性を向上できる。
【０１００】
なお、配列ピッチＰとストライプピッチＷｔｏｔａｌとの大小関係によって、出現する扁平前の顕像２１ＢのＸ方向における上下関係は反転する。すなわち、配列ピッチＰよりもストライプピッチＷｔｏｔａｌが大きい場合、図１２（ｃ）に示すように、扁平柄２１Ａと、扁平前の顕像２１Ｂとは同じ上下関係となるが、配列ピッチＰよりもストライプピッチＷｔｏｔａｌが小さい場合、図１３（ｃ）に示すように、扁平柄２１Ａと、扁平前の顕像２１Ｂとの上下関係は反転する。
【０１０１】
なお、ストライプピッチＷｔｏｔａｌが配列ピッチＰの整数倍に等しい場合（すなわち、Ｗｔｏｔａｌ＝ｎＰ（ｎは正の整数）の関係が成立する場合）、ストライプマスク１０と印刷体２０とを重ねても扁平前の顕像２１Ｂは出現しない。これは、扁平柄層２１上にＸ方向に繰り返し配置された複数の扁平柄２１Ａにおいて、ストライプマスク１０の透過部Ｔを介して観察される扁平柄２１Ａにおける場所が、Ｘ方向に沿ってすべて同じになるからである。
【０１０２】
ストライプマスク１０の典型的なストライプピッチＷｔｏｔａｌは、２５０（μｍ）以上、５００（μｍ）以下である。また、ストライプパターン領域１１ａの透過部ＴａのＸ方向における幅Ｗｔａの実例は、３０（μｍ）以上、７０（μｍ）以下であり、ストライプパターン領域１１ｂの透過部ＴｂのＸ方向における幅Ｗｔｂは、一例として、７０（μｍ）以上、１２０（μｍ）以下である。ストライプパターン領域１１ａの反射部Ｒａによって隠される部分が、ストライプマスク１０全体に占める割合が低く、印刷体２０の扁平柄２１Ａから、扁平前の顕像２１Ｂを視認しやすい。ストライプパターン領域１１ｂの透過部Ｔｂによって部分的に表れる扁平柄２１Ａの面積が狭く、扁平柄２１Ａを、顕像化しやすい。
【０１０３】
仮に、ストライプパターン領域１１ａの透過部ＴａのＸ方向における幅Ｗｔａを３０（μｍ）未満とした場合、ストライプパターン領域１１ａの反射部Ｒａによって隠される部分が、ストライプマスク１０全体に占める割合が高くなるので、印刷体２０の扁平柄２１Ａから、扁平前の顕像２１Ｂを視認することは困難となる。
【０１０４】
また、仮に、ストライプパターン領域１１ｂの透過部ＴｂのＸ方向における幅Ｗｔｂを１２０（μｍ）よりも大きくした場合、ストライプパターン領域１１ｂの透過部Ｔｂによって部分的に表れる扁平柄２１Ａの面積はより広くなり、結果として、扁平前の顕像２１Ｂは、顕像化しづらい。
【０１０５】
扁平柄２１Ａの典型的な配列ピッチＰは、２５０（μｍ）以上、５００（μｍ）である。この範囲であれば、所有者に関するコードについての細部の表現がしやすく、偽造や改竄がなされる危険性を低減できる。
【０１０６】
仮に、配列ピッチＰを、２５０（μｍ）未満とした場合、扁平柄２１Ａは、文字、絵柄、あるいは所有者に関するコードについての細部の表現が難しい。また、仮に、配列ピッチＰを、５００（μｍ）よりも大きくした場合、この扁平柄２１Ａに対応させるべく、必然的にストライプマスク１０の解像度も粗くなりやすい。これは、偽造や改竄がなされる危険性を高めてしまうので、好ましくない。
【０１０７】
上述したように、本発明の実施形態に係る光学表示体においては、上記のようなメカニズムにより、ストライプマスク１０を正面側から見た場合、図１５に示すように、顕像Ｍを視認することができ、ストライプマスク１０を斜め側から見た場合、図８に示すように、潜像Ｌを可視化することができる。このように、視野角範囲に応じて、視認できる画像の種類を切り換えることができるので、偽造防止効果を高めることができる。
【０１０８】
（変形１）
次に、本発明の実施形態に係る光学表示体の変形１について説明する。
【０１０９】
本発明の実施形態に係る光学表示体の変形１では、適宜、接着層を設けた光学表示体について説明する。
【０１１０】
図１６は、本発明の実施形態に係る光学表示体の変形１の一例を示す断面図である。
【０１１１】
図１６に例示する光学表示体３は、図１に例示する光学表示体１の変形例であって、印刷体２０における扁平柄層２１とキャリア２２との間に、接着層１５が設けられている点が、光学表示体１とは異なる。したがって、以下では、光学表示体１と異なる点のみ説明し、重複する説明は省略する。
【０１１２】
すなわち、光学表示体３では、接着層１５によって、扁平柄層２１とキャリア２２とが接着されている。接着強さを高めるために、キャリア２２に、図示しない接着アンカー層を設け、この接着アンカー層の上に接着層１５を設けることもできる。接着アンカー層自体を、接着層１５とすることもできる。
【０１１３】
また、図４のように、ストライプマスク１０と、印刷体２０とが分離されている光学表示体２において、ストライプ層１１と、透明キャリア１２との接着強さを高めるために、接着層を設けることもできる。この場合、透明キャリア１２の上に、図示しない接着アンカー層を設け、この接着アンカー層の上に接着層を形成して、ストライプ層１１と、透明キャリア１２とを接着することもできる。
【０１１４】
また、サーマルヘッドを利用した熱転写によって扁平柄２１Ａを、扁平柄層２１ではなく、ストライプ層１１上に直接形成することもできる。この場合、ストライプ層１１は、例えば、扁平柄層２１と同じ材料によって形成することができる。接着強さを高めるために、ストライプ層１１の印字側の面に接着アンカー層や接着層を設けることもできる。
【０１１５】
このように、図１や図４に例示する光学表示体１、２に、適宜、接着層１５や接着アンカー層を設けることができる。
【０１１６】
（変形２）
次に、本発明の実施形態に係る光学表示体の変形２について説明する。
【０１１７】
本発明の実施形態に係る光学表示体の変形２では、ストライプ層１１の表面を透明キャリア１２で覆った光学表示体について説明する。
【０１１８】
図１７は、本発明の実施形態に係る光学表示体の変形２の一例を示す断面図である。
【０１１９】
図１７に例示する光学表示体４は、図４に例示する光学表示体２の変形例であって、ストライプマスク１０は、ストライプ層１１と、ストライプ層１１の表面を覆う透明キャリア１２とから構成される点が、光学表示体２とは異なる。したがって、以下では、光学表示体２と異なる点のみ説明し、重複する説明は省略する。
【０１２０】
透明キャリア１２は、ストライプ層１１の表面構造を保護するためのものであり、光透過性を有しており、典型的には透明である。透明キャリア１２は、例えば樹脂フィルムまたはシートで構成され、材料としては、例えば、ポリエチレンテレフタラート（ＰＥＴ）、ポリプロピレン（ＰＰ）、ポリカーボネート（ＰＣ）、ポリメチルメタクリレート（ＰＭＭＡ）、ポリエチレン（ＰＥ）等のプラスチックから成る。
【０１２１】
このように、ストライプ層１１の表面構造を保護するための透明キャリア１２を設けることができる。
【０１２２】
以上説明した本発明の実施形態に係る光学表示体は、製品に偽造や改竄の防止のためのセキュリティ媒体として適用することができる。製品は、印刷された印刷製品とできる。この印刷は、グラビア印刷、オフセット印刷、スクリーン印刷とできる。セキュリティ媒体として適用した印刷製品は、セキュリティ印刷とできる。セキュリティ印刷は偽造や改竄の防止と美観を兼ね備える。印刷製品は、例えばパスポート、カード、紙幣、タグ、ラベル、チケットである。カードは、ＩＤカードとできる。ＩＤカードには、識別情報が電子的、可視情報、またはその双方として記録されている。識別情報は、生体情報、または非生体情報とできる。生体情報の実例は、個人のサイン、顔写真、肖像、指紋、虹彩の何れかまたはその組合せである。非生体情報の実例は、個人の名前、国籍、性別、住所、所属の何れかまたはその組合せである。よって、以下では、この実施形態の実際の製品への適用を、実装として説明する。
【実装１】
【０１２３】
本実装では、パスポート冊子やカードに光学表示体を適用した例について説明する。
【０１２４】
図１８は、図１６に示す光学表示体３が配置されたパスポート冊子４０の平面構造の一例を概略的に示す（ａ）上面図および（ｂ）斜視図である。
【０１２５】
図１９は、図１６に示す光学表示体３が配置されたカードの実例であるＩＤカード４６の平面構造の一例を概略的に示す（ａ）上面図および（ｂ）斜視図である。
【０１２６】
図１８に例示するように、パスポート冊子４０は、表紙カバー４２、データページ４４、および図示しないＶＩＳＡページ等から構成されている。
【０１２７】
図１９に例示するように、ＩＤカード４６は、図１８に例示されるパスポート冊子４０におけるものと同様のデータページ４４で構成される。
【０１２８】
データページ４４の仕様は、国によって異なるが、図１８および図１９に例示するデータページ４４は、紙製のページに、透明の接着層がコーディングされ、さらに、図１６に例示するような光学表示体３が、熱転写によって配置されることによって形成される。
【０１２９】
なお、データページ４４は、光学表示体３が配置される部位を、紙基材から、プラスチック基材、金属基材、セラミックス基材、またはガラス基材に代替できる。
【０１３０】
熱転写にはホットスタンプを利用することができる。また、ホットスタンプの代わりに、熱ロールまたはサーマルヘッドを利用して熱転写することもできる。
【０１３１】
また、熱転写の際には、データページ４４の基材に、接着強さを高めるために接着アンカー層を適宜形成することもできる。光学表示体３のキャリア２２に、高い接着強さで接着させることが難しい場合には、適宜、接着層を介して熱転写することができる。
【０１３２】
データページ４４には、氏名、有効期限、顔写真等の個人情報が記録される。
【０１３３】
本実装では、パスポートプリンタ（凸版印刷（株）製  ｅＰ６００）を用いて、氏名、有効期限、顔写真、および扁平柄２１Ａを記録した。以下、この記録方法について説明する。
【０１３４】
まず、顕像化させる顕像２１Ｂ（例えば、図３に示される文字「ＪＰ」）を準備し、画像処理ソフト（Ａｄｏｂｅ  Ｐｈｏｔｏｓｈｏｐ）を用いて、横幅を５倍に拡大することによって、扁平柄２１Ａを得た。
【０１３５】
次に、ストライプ層１１として中間転写媒体を準備した。中間転写媒体には、ベースフィルム、剥離層兼保護層、受像層兼接着層から構成されているものを用いた。そして、受像層兼接着層の一部に、ストライプパターン領域１１ａ、１１ｂを、例えば、図６に示すように、中心に十字型を形成するように配置した。
【０１３６】
ストライプパターン領域１１ａ、１１ｂのストライプピッチＷｔｏｔａｌは４２５（μｍ）、ストライプパターン領域１１ａの反射部ＲａのＸ方向における幅Ｗｒａは３８５（μｍ）、ストライプパターン領域１１ｂの反射部ＲｂのＸ方向における幅Ｗｒｂは３４０（μｍ）とした。反射部Ｒの幅Ｗｒは、蒸着アルミをディメタライズ加工して実現した。
【０１３７】
この中間転写媒体の、蒸着アルミがディメタライズ加工された領域に、転写リボンを重ね合わせ、サーマルヘッドを用いて記録画像を形成した。
【０１３８】
具体的には、まず、ブラックのインクによって氏名や有効期限などの情報と、前述したように得られた扁平柄２１Ａとを転写し、その後、顔写真においてシアン、マゼンタ、イエローの各インクを順に転写した。なお、扁平柄２１Ａの、扁平方向（図２におけるＹ方向）と直交した方向（図２におけるＸ方向）の配列ピッチＰは、ストライプピッチＷｔｏｔａｌよりも約１１％小さい３８０（μｍ）とした。
【０１３９】
次に、画像が記録された中間転写媒体を、データページ４４に重ね、ヒートローラを用いて熱転写した。
【０１４０】
図２０は、図１８および図１９に示すデータページ４４を正面側から見た場合に観察される顕像Ｍの一例を示す模式図である。
【０１４１】
図１８および図１９に示すデータページ４４を正面側から見た場合、図２０に示すように、顕像Ｍとして顕像２１Ｂ（図１２に例示する文字「ＪＰ」）を視認することができ、斜め側から見た場合、図１８（ｂ）および図１９（ｂ）に示すように、十字型の潜像Ｌを視認することができた。
【０１４２】
このように、ストライプマスク１０を観察する角度を変えることによって、視認される画像を選択的に切り換えることが可能となるので、セキュリティ性を向上させることができることを確認できた。
【０１４３】
このように、光学表示体を、パスポート冊子やＩＤカードに配置することによって、パスポート冊子やＩＤカードのセキュリティ性が向上することを確認できた。
【実装２】
【０１４４】
実装１では、図１６のように、ストライプマスク１０と印刷体２０とが一体化された光学表示体を適用し、データページ４４のような単一の対象物に、光学表示体を一体的に配置した例について説明した。
【０１４５】
実装２では、図４および図１７のように、ストライプマスク１０と印刷体２０とが分離している光学表示体を適用し、各ページに、光学表示体を一体的に配置したページ対の例について説明する。
【０１４６】
図２１は、ストライプマスクと印刷体とがそれぞれ別のページに配置されているページ対の構成例を示す概念図である。
【０１４７】
ページ対５０は、ストライプマスク１０が配置されたページ５２と、印刷体２０が配置されたページ５４とが対になっている。ページ５２とページ５４とは中心線５６において、糊付け等によって綴じ合わせて構成されている。中心線５６は、ページ５２とページ５４とを重ね合わせるように折り畳むための折り畳み線としても使用される。
【０１４８】
図２２は、ページ対の別の構成例を示す概念図である。
【０１４９】
ページ対５０は、図２１に示すように、ページ５２とページ５４とが、元々分離されていた別々の面から構成されていることに限定されず、図２２に示すように、ページ５２とページ５４とが同一面５８で構成されている場合もある。すなわち、図２２に示すページ対５０は、例えば紙からなる同一面５８が、中心線５６において折り畳み可能なように構成されている。これによって、例えば、中心線５６を境界として、図中右側をページ５２、図中左側をページ５４とみなすことができる。
【０１５０】
ページ５２、５４として、紙を使用することができるが、紙以外にも、例えばプラスチック基材、金属基材、セラミックス基材、またはガラス基材を使用することもできる。
【０１５１】
このようなページ対５０において、以下のようにして、ページ５２に、ストライプマスク１０を配置した。
【０１５２】
先ず、ページ５２において、少なくとも、ストライプマスク１０が配置される領域を透明とした。
【０１５３】
次に、ストライプマスク１０を、ページ５２の表面に接着層を介して貼着した。
【０１５４】
図２３は、透明なページにストライプマスクが配置されているページ対の一例を示す概念図である。
【０１５５】
ページ５２にストライプマスク１０を配置する別の手法として、所定の圧力および熱下で、ストライプマスク１０を、ページ５２の表面に転写することもできる。また、ストライプマスク１０を、ページ５２の、図示しないキャリアの間に挟み込んだり、埋め込むことによって、ページ５２に配置することもできる。なお、ストライプマスク１０を、ページ５２のキャリアの間に挟み込む場合、ページ５２には、ストライプ層１１が配置される場所に、ストライプ層１１の面積よりも小さい面積の貫通穴を設け、その貫通穴を塞ぐようにストライプ層１１を配置する。
【０１５６】
次に、ページ５４に、印刷体２０を配置した。この場合、図２４に示すように、ページ５２とページ５４とが中心線５６に沿って折り畳まれると、ストライプ層１１のストライプ方向（Ｘ方向）と、印刷体２０のＸ方向とが一致した状態で重なり合うように配置位置を調整して、ページ５４に印刷体２０を配置した。
【０１５７】
図２４は、ページ５２とページ５４とを中心線５６に沿って折り畳んだ状態を示す側面図である。
【０１５８】
図２５は、データページを正面側から見た場合に観察される顕像の一例を示す模式図である。
【０１５９】
図２６は、データページを斜め側から見た場合に観察される潜像の一例を示す模式図である。
【０１６０】
ページ対５０を、図２４に示すように、ページ５２とページ５４とを中心線５６に沿って折り畳み、重ね合わせた状態で、ストライプ層１１を正面から観察した場合、図２５に示すように、顕像２１Ｂとして扁平前の顕像２１Ｂ（文字「ＪＰ」）を視認できる。また、ストライプ層１１を斜め方向から観察した場合、図２６に示すように、十字型の潜像Ｌを視認できる。
【０１６１】
なお、ページ５２とページ５４とを重ね合わせない状態、すなわち、ページ５２とページ５４とが開かれている状態で、ストライプ層１１を斜め方向から観察した場合もまた、図２６に示すように、十字型の潜像Ｌを視認できる。
【０１６２】
このように、ストライプマスク１０と印刷体２０とが分離している光学表示体を、ページ対５０に配置することによって、ページ対５０のセキュリティ性を向上させることができることを確認した。
【実装３】
【０１６３】
本実装では、ラベルやタグへの光学表示体の適用について説明する。
【０１６４】
図２７は、図１に示す光学表示体に接着層を設けて構成されたラベル１の構成を示す断面図である。
【０１６５】
ラベル６０に含まれる光学表示体１は、前述したようなメカニズムで、文字、絵柄、または所有者に関するコードを出現させるように構成されている。
【０１６６】
図２８および図２９は、図２７に示すラベルを貼り付けられたタグの例を模式的に示す平面図である。
【０１６７】
図２８および図２９に示すようなタグ６２は、図２７に示すラベル６０が、接着層３０を介して貼着されることによって構成される。
【０１６８】
ラベル６０を貼り付けるタグ６２の基材は、布基材、紙基材、プラスチック基材、金属基材、セラミックス基材、またはガラス基材とすることができる。
【０１６９】
これによって、正面側から見た場合、図２８（ａ）および図２９（ａ）のように、顕像Ｍとして、「ＪＰ」のような顕像２１Ｂを確認することができ、斜め側から見た場合、図２８（ｂ）および図２９（ｂ）のように、潜像Ｌを観察できた。
【０１７０】
また、タグの取り付け領域６４には、図２８に示すように丸穴６６を加工により設けることができる。また、図２９の縫い付け線６８に示すように、商品に直接縫い付けることもできる。
【０１７１】
このように、光学表示体１をラベル６０やタグ６２に適用した場合であっても、観察する角度を変えることによって、視認される画像を選択的に切り換えることができるので、セキュリティ性を向上させることが可能となることを確認できた。
【０１７２】
したがって、例えばラベル６０やタグ６２を、商品に付属させたり、直接縫い付けたりすることによって、商品の真偽判定に応用できることも確認できた。
【０１７３】
なお、本願発明は、本発明の上記実施形態に限定されるものではなく、実施段階ではその要旨を逸脱しない範囲で種々に変形することが可能である。また、本発明の各実施形態は可能な限り適宜組み合わせて実施してもよく、その場合組み合わせた効果が得られる。更に、本発明の上記実施形態には種々の段階の発明が含まれており、開示される複数の構成要件における適当な組み合わせにより種々の発明が抽出され得る。
【図１】
2020085332.tif 000003
【図２】
2020085332.tif 000004
【図３】
2020085332.tif 000005
【図４】
2020085332.tif 000006
【図５】
2020085332.tif 000007
【図６】
2020085332.tif 000008
【図７】
2020085332.tif 000009
【図８】
2020085332.tif 000010
【図９】
2020085332.tif 000011
【図１０】
2020085332.tif 000012
【図１１】
2020085332.tif 000013
【図１２】
2020085332.tif 000014
【図１３】
2020085332.tif 000015
【図１４】
2020085332.tif 000016
【図１５】
2020085332.tif 000017
【図１６】
2020085332.tif 000018
【図１７】
2020085332.tif 000019
【図１８】
2020085332.tif 000020
【図１９】
2020085332.tif 000021
【図２０】
2020085332.tif 000022
【図２１】
2020085332.tif 000023
【図２２】
2020085332.tif 000024
【図２３】
2020085332.tif 000025
【図２４】
2020085332.tif 000026
【図２５】
2020085332.tif 000027
【図２６】
2020085332.tif 000028
【図２７】
2020085332.tif 000029
【図２８】
2020085332.tif 000030
【図２９】
2020085332.tif 000031
【国際調査報告】
2020085332.tif 000032
2020085332.tif 000033
2020085332.tif 000034
2020085332.tif 000035